(57)【要約】      （修正有）【課題】運動体の回転力を利用する万能発電装置を提供する。【解決手段】Ｌ型剛体の短軸側に錘２そして下端角に自在継手を装着したＬ型剛回転体と、既設構造物に枠４の横幅と基軸６の中央中心を垂直線と垂直平面に重ね、更に該枠４は該垂直平面と直交する水平面と並行に固着設置した枠基軸台据付機構と、軸受７と櫂５、または、櫂５とロボットと発電機を装備した機構で構成される。Ｌ型剛回転体の長軸１に該櫂５を通して櫂５又は櫂５とロボット操作で調子に合わせて繰り返し傾斜させて短軸と錘２を回転させて発電する。【選択図】図１
0003209394.tif 000002
【実用新案登録請求の範囲】
【請求項１】
Ｌ型剛体の短軸側に錘そして下端角に自在継手を装着し、該自在継手と基軸と枠は中央中心を垂直線と垂直面に重ね更に該枠は該垂直面と直交する水平面と並行に設置し、該Ｌ型剛体を左右に傾斜させて長軸側と短軸側の均衡位置を決め、該短軸の錘の回転状態と該長軸側の枠の幅位置を調整した状態の軸傾斜オール式の骨格コマと、
基軸と軸受を装備した発電機と枠と櫂とからなる随意構造機構とで構成され、
設置所望箇所に該軸傾斜オール式の骨格コマを該随意構造機構の該発電機の該基軸に据え装着し固定する各構造物の組み合わせを特徴とする万能発電装置。
【請求項２】
随意形状の骨格コマを同様随意構造機構に組み合わせ装着固定し、請求項１の軸傾斜オール式の骨格コマと同様調整組み合わせることを特徴とする万能発電装置。
【考案の詳細な説明】
【技術分野】
【０００１】
本考案は、剛体内の各部分に働く垂直に平行な重力を同じ剛体内の一か所を支点として左右に分けて各左右の各部分の重力を合成した着力点を重心としその各々の重心を作用点と力点とする運動体の形状と構造と組み合わせに関するものである。その運動体の作用点を枠などにより一部拘束し人力などで傾斜させ位置移動(往復)させ力点を回転させてその回転力を発電装置に利用しようとするものである。
【背景技術】
【０００２】
回転力は風水火石原子力など様々な方法で獲得されてきた。
【０００３】
しかし風水以外は問題点や欠陥が見つかった。
【０００４】
風水についてさえ、自然環境は意のままにならない。
【０００５】
地上での剛体の運動はその指示通りに動くのが原則、でもその指示に従わないで自然に動いちゃう状態のときに注目し、大型化し見える化し実感触化して、その可能性を探求した。本考案はそのような剛体の運動体(形状構造組み合わせ)を具現化させまずは競技で人力の可能性を追求し社会に役立てようとするものである。
【先行技術文献】
【特許文献】
【０００６】
【特許文献１】特開２０１５−２１８７２１号公報
【特許文献２】登録実用新案第３１６４１７０号公報
【考案の概要】
【考案が解決しようとする課題】
【０００７】
本願運動体(ツール)は物品の形状構造組み合わせであり、その操作はまずは人力(体力＋脳力＋その他)である。永久機関でもなく自然法則その物でもなく抵触しないし保存則にも反さない。考案が解決しようとする課題は次です。
１「人力は２００Ｗｈが限界」に挑戦ツールとして、少なくとも炊飯と１ＫＷｈを目標。
２、 竿秤を支点で曲げ、取皮で持つと荷物側が自然と動(回転)いちゃうことに注目。
３、短軸側と長軸側の釣り合う位置を決め内側左右幅だけ長軸側を枠拘束する。
４、竿秤全体を左右幅だけ調子に合わせ左右させれば容易に回転させられる。
５、骨格コマを大型化して既設の構造物に枠を付設し拘束すれば所望拠点に可能。
【課題を解決するための手段】
【０００８】
軸傾斜オール式の骨格コマはＬ型剛体の短軸側に錘そして下端角に自在継手を装着し、該自在継手と基軸を垂直線と垂直面に重ね、左右に傾斜させて長軸側と短軸側の均衡位置を決め、該短軸の該錘の回転状態と該長軸側の枠の幅位置を調整した状態であり容易に移動させているので課題を解決している。
随意構造機構の該発電機の該基軸に据え組み合わせ装着することで運動体の安定操作作動の課題を解決している。
又軸傾斜オール式の骨格コマと同様調整した図５に示す随意形状骨格コマを同様随意構造機構に装着固定し組み合わせることを特徴とするので所望地に設置することと競技用に実用にロボット化も可能な万能発電装置となる課題を解決している。
【考案の効果】
【０００９】
本考案の小型試作機の軸傾斜オール式の骨格コマは長軸側を傾斜するだけで軽快に回転する、漕ぎ手も一人で十分順調、短軸側の錘の動きを観察し操作位置を、直接あるいは近傍で常に観測確認でき加減速も負荷にも十分対応できる。人力代替えなど機械化ロボット化も可能という利点がある。
【図面の簡単な説明】
【００１０】
【図１】本考案の概略イメージ図と正面と側面図である。(実施例１)
【図２】枠と櫂の図と左右傾斜で均衡の図である。(実施例２)
【図３】重心と力関係図である。（実施例３）
【図４】随意構造機構の設定の色々の図である。(実施例４)
【図５】随意形状の骨格コマの図である。（実施例５）
【考案を実施するための形態】
【００１１】
見える化実感化での大型化について、回転半径は大きいほど角速度もトルクも大で目視実体験もしやすい、出願者の資力に限定され直径１ｍ位での実体験結果である。今後は試作機シミュレーションなどののち実施したい。
【実施例】
【００１２】
(実施例１)図１について  回し始めは枠の中央で、あとは調子を合わせボート漕ぎする、人数は自由。請求項の通り設置、その他必要があればブレーキ・安全装置・速度調整装置など、ロボット化のときはそれなり配慮する。
【００１３】
(実施例２)図２について所定位置にしっかり固定、軸の漕ぎ方は一時停止とタイミングに気を付ける。請求項１の通り図５の(イ)を参考に図の通りとする。枠は固定されており軸との摩擦を小にし、引く力は梃子の原理から明白である。長軸の重心(作用点)と短軸側の重心(力点)が骨格コマの軸の移動に伴いそれぞれ移動することで原動力となる。それぞれの重量が超人力であっても相互の力関係が移動させ人力はその操作支援で調子よく回転している。
【００１４】
(実施例３)図３について(イ)は滑車での釣り合いで、０・５・２０ｋｇは骨格コマ自身の重さも加味されているもの、軸を長くすればそれだけ人力負担は小となる。回し始めは工夫を要す、だんだん調子を合わせる、枠端では一時停止が基本である。(ロ)は１を通過したらＡ→Ｂとし、３を通過したらＢ→Ａとする以下同じの図を示す。(ハ)それなりにＡ→Ｂを繰り返したときの錘の位置図。(ニ)瞬間にＡ→Ｂを繰り返したときの錘の位置図。単にアームと錘の位置だけでなく軸側の重心との相乗効果であり安易に引き上げ錘は回転し落下し続けていることになる。負荷への対応はピッチを上げ、スナップ・スイング・ツイスト効果、操者のテクニック・スポーツ精神などが回転力アップに関係していることは確かである。継続は力も実感した。
【００１５】
(実施例４)図４は随意構造機構でトラス構造の櫓型のもの、地下設置のときのもの、ビル屋上で旋回する型のものなど色々の状況状態に合わせ随意に選択でき経費節約大型化などにも対応できる。
【００１６】
(実施例５)図５について軸傾斜手動の骨格コマの色々です、請求項１と同様に設置する。時と場合に応じ最良の形状のものの選択ができ廃物利用など経費節約に又エコ啓発にも。
【００１７】
このようにまずは人力(競技)で大きな骨格コマを安易に運動させ回転力を獲得しエコ生活拠点での実用を社会的に共有し共感を得そして一般にも普及させる。
【産業上の利用可能性】
【００１８】
まずは競技用とし、エコ生活拠点でのレジャー施設用に、防災現場で社会的に実用実感の後一般利用へ、更に可能ならロボット化と大型化する。
【符号の説明】
【００１９】
１  長軸  ２  短軸と錘  ３  自在継手  ４  枠  ５  櫂  ６  基軸  ７  軸受  ８  発電機  Ｘ  垂直線  Ｙ  Ｘに直交する水平面。
【図１】
0003209394.tif 000003
【図２】
0003209394.tif 000004
【図３】
0003209394.tif 000005
【図４】
0003209394.tif 000006
【図５】
0003209394.tif 000007
【手続補正書】
【提出日】平成29年1月12日(2017.1.12)
【手続補正１】
【補正対象書類名】明細書
【補正対象項目名】全文
【補正方法】変更
【補正の内容】
【考案の詳細な説明】
【技術分野】
【０００１】
本考案は、剛体内の各部分に働く垂直に平行な重力を同じ剛体内の一か所を支点として左右に分けて各左右の各部分の重力を合成した着力点を重心としその各々の重心を作用点と力点とする運動体の形状と構造と組み合わせに関するものである。その運動体の作用点を枠などにより一部拘束し人力などで傾斜させ位置移動(往復)させ力点を回転させてその回転力を発電装置に利用しようとするものである。
【背景技術】
【０００２】
回転力は風水火石原子力など様々な方法で獲得されてきた。
【０００３】
しかし風水以外は問題点や欠陥が見つかった。
【０００４】
風水についてさえ、自然環境は意のままにならない。
【０００５】
地上での剛体の運動はその指示通りに動くのが原則、でもその指示に従わないで自然に動いちゃう状態のときに注目し、大型化し見える化し実感触化して、その可能性を探求した。本考案はそのような剛体の運動体(形状構造組み合わせ)を具現化させまずは競技で人力の可能性を追求し社会に役立てようとするものである。
【先行技術文献】
【特許文献】
【０００６】
【特許文献１】特開２０１５−２１８７２１号公報
【特許文献２】実用新案登録第３１６４１７０号公報
【考案の概要】
【考案が解決しようとする課題】
【０００７】
本願運動体(ツール)は物品の形状構造組み合わせであり、その操作はまずは人力(体力＋脳力＋その他)である。永久機関でもなく自然法則その物でもなく抵触しないし保存則にも反さない。考案が解決しようとする課題は次です。
１、  「人力は２００Ｗｈが限界」に挑戦ツールとして、少なくとも炊飯と１ＫＷｈを目標。
２、  竿秤を支点で曲げ、取皮で持つと荷物側が自然と動(回転)いちゃうことに注目。
３、短軸側と長軸側の釣り合う位置を決め内側左右幅だけ長軸側を枠拘束する。
４、竿秤全体を左右幅だけ調子に合わせ左右させれば容易に回転させられる。
５、既設構造物に枠基軸台を据付け大型回転体を容易に運動させ所望拠点に設置。
【課題を解決するための手段】
【０００８】
Ｌ型剛回転体の短軸側に錘そして下端角に自在継手を装着し、該自在継手と基軸を垂直線と垂直面に重ね、左右に傾斜させて長軸側と短軸側の均衡位置を決め、該短軸の該錘の回転状態と該長軸側の枠の幅位置を調整した状態であり容易に移動させているので課題を解決している。
Ｌ型剛回転体を既設構造物に付設する枠基軸台据付機構と櫂又櫂とロボット発電機構とを組み合わせ装着することで運動体の安定操作作動の課題を解決している。
又枠基軸設置機構は既設構造物利用であり都合のいいところに装着固定し組み合わせることを特徴とするので所望地に設置することと競技用に実用にロボット化も可能な万能発電装置となる課題を解決している。
【考案の効果】
【０００９】
本考案の小型試作機のＬ型剛回転体は長軸側を傾斜するだけで軽快に回転する、漕ぎ手も一人で十分順調、短軸側の錘の動きを観察し操作位置を、直接あるいは近傍で常に観測確認でき加減速も負荷にも十分対応できる。人力代替えなど機械化ロボット化も可能という利点がある。
【図面の簡単な説明】
【００１０】
【図１】本考案の概略イメージ図と正面と側面図である。(実施例１)
【図２】枠と櫂の図と左右傾斜で均衡の図である。(実施例２)
【図３】重心と力関係図である。（実施例３）
【図４】既設構造物(建築物の梁・塔・陸橋など)へのＬ型剛回転体取り付けの色々の図(実施例４)
【考案を実施するための形態】
【００１１】
見える化実感化での大型化について、回転半径は大きいほど角速度もトルクも大で目視実体験もしやすい、出願者の資力に限定され直径１ｍ位での実体験結果である。今後は試作機シミュレーションなどののち実施したい。
【実施例】
【００１２】
(実施例１)図１について  回し始めは枠の中央で、あとは調子に合わせ櫂を漕ぐ、短軸と錘の回転は大型化すれば危険が伴うので軌道確保安全のため案内レールなどを取り付ける、漕ぎ手人数は自由。請求項の通り設置、その他必要があればブレーキ・安全装置・速度調整装置など、ロボット化のときはそれなり配慮する。
【００１３】
(実施例２)図２について所定位置にしっかり固定、軸の漕ぎ方は一時停止とタイミングに気を付ける。請求項１の通り図３の(イ)を参考に図の通りとする。枠は固定されており軸との摩擦を小にし、引く力は梃子の原理から明白である。長軸側の重心(作用点)と短軸側の重心(力点)が長軸のストローク移動に伴いそれぞれ移動することで原動力となる。それぞれの重量が超人力であっても相互の力関係が移動させ人力はその操作支援で調子よく回転している。
【００１４】
(実施例３)図３について(イ)は滑車での釣り合いで、０・５・２０ｋｇはＬ型剛回転体の長軸自身の重さも加味されているものでこれは一例、軸を長くすればそれだけ人力負担は小となる。回し始めは工夫を要す、だんだん調子を合わせる、枠端では一時停止が基本である。(ロ)は１を通過したらＡ→Ｂとし、３を通過したらＢ→Ａとする以下同じの図を示す。(ハ)それなりにＡ→Ｂを繰り返したときの錘の位置図。(ニ)瞬間にＡ→Ｂを繰り返したときの錘の位置図。単にアームと錘の位置だけでなく軸側の重心との相乗効果であり安易に引き上げ錘は回転し落下し続けていることになる。負荷への対応はピッチを上げ、スナップ・スイング・ツイスト効果、操者のテクニック・スポーツ精神などが回転力アップに関係していることは確かである。継続は力も実感した。
【００１５】
(実施例４)図４について左は既設構造物でなく独自に製作したトラス構造の櫓型のもの、大型だと建設費が膨大で安全性にも課題があり敢えて最初に示した。中は地下設置のときのもの既設構造物はなくても穴の掘削は比較的簡単なので穴の上に梁を固定すれば簡単に設置可能。右はビル屋上で旋回するかたちのもの。設置個所は場所を選ばずどこでも設置でき経費節約大型化などにも対応できる。
【００１６】
このようにまずは人力(競技)で大きなＬ型剛回転体を安易に運動させ回転力を獲得しエコ生活拠点での実用を社会的に共有し共感を得そして一般にも普及させる。
【産業上の利用可能性】
【００１７】
まずは公園広場での競技用とし、エコ生活拠点でのレジャー施設用に、防災現場で社会的に実用実感の後一般利用へ、更に可能ならロボット化と大型化する。
【符号の説明】
【００１８】
図１の符号１長軸  ２短軸と錘  ３自在継手  ４枠  ５櫂  ６基軸台  ７軸受  ８発電機
図２のＹは垂直線でＸはＹに直交する水平面である。
【手続補正２】
【補正対象書類名】実用新案登録請求の範囲
【補正対象項目名】全文
【補正方法】変更
【補正の内容】
【実用新案登録請求の範囲】
【請求項１】
Ｌ型剛体の短軸側に錘そして下端角に自在継手を装着したＬ型剛回転体と、
既設構造物(建築物の梁・塔・陸橋など)に枠の横幅と基軸の中央中心を垂直線と垂直平面に重ね更に該枠は該垂直平面と直交する水平面と並行に固着設置した枠基軸台据付機構と、
軸受と櫂か櫂とロボットと発電機を装備した機構の櫂又は櫂とロボット発電機構で構成され、
設置所望箇所の該既設構造物に該枠基軸台据付機構を定置し該枠に該Ｌ型回転剛体の該長軸を通し該自在継手を該基軸台に接続させ該長軸を垂直平面上で左右に傾斜させてそれぞれの均衡位置を決めて該短軸の錘の回転状態と該長軸側の該枠の幅位置を調整した状態として該櫂又は櫂とロボット発電機構を組み合わせ該枠に通した該長軸に該櫂を通して櫂又は櫂とロボット操作で調子に合わせて繰り返し傾斜させて該短軸と錘を回転させ発電することを特徴とする万能発電装置。
【手続補正３】
【補正対象書類名】図面
【補正対象項目名】図５
【補正方法】削除
【補正の内容】